(57)【要約】【課題】着用者の肌に対する刺激を抑制し、排泄物が肌に付着するのを防止する。【解決手段】おむつの股下域には、吸液性パネル２３上に縦方向Ｙに延びるバリアシート３と防漏カフ４とが形成される。防漏カフ４はカフ弾性部材５０の収縮によって吸液性パネル２３から起立するように離間し、前後方接合部位を介してバリアシート３が引き上げられるとともに、横方向Ｘの外側に向かって引っ張られる。前方接合部位は前端縁２７から前方中心線ｒ−ｒよりも中間部分３２側にまで延びているので、前方部３９ａ，４０ａにおいては前方中心線ｒ−ｒよりも中間部分３２側で、これらの間隔Ｗ２を最大とする前方最大点４１，４２が形成される。後方接合部位は後端縁２８から後方中心線ｓ−ｓとの間にまで延びているので、後方部３９ｂ，４０ｂにおいてはこの間で間隔Ｗ３を最大とする後方最大点４３，４４が形成される。【選択図】図５
2009165556.tif 000002
【特許請求の範囲】
【請求項１】
縦方向および横方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートとを含む吸収性物品において、
前記バリアシートは、前記縦方向に延びるとともに前記横方向に対向する両側部分と、前記両側部分の間をつなぐ中間部分と、前記中間部分を介して前記前ウエスト域側に位置する前方連通部と、前記後ウエスト域側に位置する後方連通部と、前記横方向に延びるとともに前記縦方向に対向する前後端縁と、前記横方向に対向して前記縦方向に延びるとともに伸長状態で取り付けられ前記横方向の寸法を二等分する縦中心線にほぼ対称となる第１および第２バリアシート弾性部材とを含み、前記前後端縁が前記シャーシの身体側に固着され、前記吸液構造体が前記股下域から前記前後ウエスト域に湾曲することによって、前記バリアシートと前記吸液構造体との間に空隙を形成し、
前記前後方連通部は、前記空隙の内部に向かって排泄物を通過させることが可能であって前記両側部分および前記中間部分によって形成され、
前記第１および第２バリアシート弾性部材は、前記前方連通部に沿う前方部と、前記後方連通部に沿う後方部とを含み、
前記前後ウエスト域および前記股下域がほぼ同一平面となる状態において、前記前方部は、前記前方連通部の縦方向の寸法を二等分する前方中心線よりも前記中間部分側で、前記第１バリアシート弾性部材と前記第２バリアシート弾性部材との前記横方向の間隔が最大となり、
前記後方部は、前記後方連通部の縦方向の寸法を二等分する後方中心線よりも前記後端縁側で、前記第１バリアシート弾性部材と前記第２バリアシート弾性部材との前記横方向の間隔が最大となることを特徴とする前記吸収性物品。
【請求項２】
前記吸収性物品は、前記バリアシートの身体側であって前記横方向に対向し前記縦方向に延びる一対の防漏カフを含み、
前記防漏カフは、前記シャーシに接合される固定縁部と、前記シャーシに接合されることなく前記シャーシから離間可能な自由縁部と、前記自由縁部に伸長状態で取り付けられ前記防漏カフを前記シャーシから離間させるカフ弾性部材とを含み、
前記バリアシートと前記防漏カフとは、前記横方向に対向する前記固定縁部と前記自由縁部との間に位置するとともに前記第１および第２バリアシート弾性部材の前記前方部に重なる前方接合部位によって接合され、前記前方接合部位は、前記バリアシートの前端縁から前記第１および第２バリアシート弾性部材の前記横方向の間隔が最大となる点まで間欠または連続的に延びている請求項１記載の吸収性物品。
【請求項３】
前記バリアシートと前記防漏カフとは、前記バリアシートの後端縁において後方接合部位を介して互いに接合され、前記第１および第２バリアシート弾性部材の前記後方部は、前記バリアシートの後端縁近傍において接合されるとともに、この接合部位で前記第１バリアシート弾性部材と前記第２バリアシート弾性部材との前記横方向の間隔が最大となる請求項２記載の吸収性物品。
【請求項４】
前記中間部分から前記第１および第２バリアシート弾性部材の前方部の間隔が最大となる点を結ぶ直線までの寸法が、前記中間部分から前記第１および第２バリアシート弾性部材の後方部の間隔が最大となる点を結ぶ直線までの寸法よりも短く設定されている請求項１〜３のいずれかに記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、排泄物によっておむつ着用者の肌が汚れないようにするための構造として、例えば特表平９−５１０３８５号公報（特許文献１）が公知である。
特許文献１にはパンツ型の使い捨ておむつが開示されている。このおむつは、パンツ型に形成された被覆シートの内側に吸液構造体を有し、吸液構造体上にはその横方向に離間する一対のシート状のフラップが配置されている。これらフラップは互いに接合部によって連結され、フラップと接合部によって前方開口と、後方開口とが形成される。フラップには、前後方開口に沿って、縦方向にわたって弾性部材が伸長状態で取り付けられている。この弾性部材が収縮すると、接合部が吸液構造体から離間し、前方開口では尿が流入するポケットを形成し、後方開口では便が流入するポケットを形成する。
【特許文献１】特表平９−５１０３８５号公報
【発明の開示】
【発明が解決しようとする課題】
【０００３】
前方開口には着用者の外性器が臨み、後方開口には肛門が臨むようにして着用する。前方開口ではその開口面積を大きくして、着用者の外性器に前方開口縁が接触しないことが望ましく、後方開口ではその開口面積を小さくして、臀に排泄物が付着しないようにすることが望ましい。
外性器に前方開口縁が接触すると、これが肌に対する刺激となり肌トラブルの原因となるが、肌トラブルを誘発するのは、開口縁に沿って取り付けられた弾性部材に起因するところが大きい。すなわち、弾性部材がシート状のフラップに取り付けられることによって、シートを吸液構造体から身体側に離間させるとともに、その開口を維持するように作用する。このときシートを介して弾性部材が肌に接触する。シートは通常柔軟性が高く、肌に接触しても肌トラブルを誘発する可能性は低いが、弾性部材が取り付けられることによって、シートに剛性が付与されるために、シートを介して弾性部材が接触した場合に肌に対する刺激が大きくなる。
【０００４】
特許文献１に開示したおむつでは、前後方開口の面積が等しいとともに、これに沿った弾性部材の開口角度もほぼ等しくなっている。このようなおむつでは、着用者の外性器に対する肌トラブルを防止しようとして前方開口を大きくすれば、後方開口も大きくなって臀に排泄物が付着するのを防止することができなくなり、後方開口を小さくすれば前方開口も小さくなり外性器に対する肌トラブルを防止することができなくなる。
【０００５】
本発明では、着用者の肌に対する刺激を抑制するとともに排泄物が肌に付着するのを防止することできる吸収性物品を提供することを課題とする。
【課題を解決するための手段】
【０００６】
本発明は、縦方向および横方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートとを含む吸収性物品の改良に関わる。
【０００７】
本発明は前記吸収性物品において、前記バリアシートは、前記縦方向に延びるとともに前記横方向に対向する両側部分と、前記両側部分の間をつなぐ中間部分と、前記中間部分を介して前記前ウエスト域側に位置する前方連通部と、前記後ウエスト域側に位置する後方連通部と、前記横方向に延びるとともに前記縦方向に対向する前後端縁と、前記横方向に対向して前記縦方向に延びるとともに伸長状態で取り付けられ前記横方向の寸法を二等分する縦中心線にほぼ対称となる第１および第２バリアシート弾性部材とを含む。前記前後端縁が前記シャーシの身体側に固着され、前記吸液構造体が前記股下域から前記前後ウエスト域に湾曲することによって、前記バリアシートと前記吸液構造体との間に空隙を形成し、前記前後方連通部は、前記空隙の内部に向かって排泄物を通過させることが可能であって前記両側部分および前記中間部分によって形成される。前記第１および第２バリアシート弾性部材は、前記前方連通部に沿う前方部と、前記後方連通部に沿う後方部とを含み、前記前後ウエスト域および前記股下域がほぼ同一平面となる状態において、前記前方部は、前記前方連通部の縦方向の寸法を二等分する前方中心線よりも前記中間部分側で、前記第１バリアシート弾性部材と前記第２バリアシート弾性部材との前記横方向の間隔が最大となり、前記後方部は、前記後方連通部の縦方向の寸法を二等分する後方中心線よりも前記後端縁側で、前記第１バリアシート弾性部材と前記第２バリアシート弾性部材との前記横方向の間隔が最大となることを特徴とする。
【０００８】
好ましい実施態様のひとつとして、前記吸収性物品は、前記バリアシートの身体側であって前記横方向に対向し前記縦方向に延びる一対の防漏カフを含む。前記防漏カフは、前記シャーシに接合される固定縁部と、前記シャーシに接合されることなく前記シャーシから離間可能な自由縁部と、前記自由縁部に伸長状態で取り付けられ前記防漏カフを前記シャーシから離間させるカフ弾性部材とを含む。前記バリアシートと前記防漏カフとは、前記横方向に対向する前記固定縁部と前記自由縁部との間に位置するとともに前記第１および第２バリアシート弾性部材の前記前方部に重なる前方接合部位によって接合され、前記前方接合部位は、前記バリアシートの前端縁から前記第１および第２バリアシート弾性部材の前記横方向の間隔が最大となる点まで間欠または連続的に延びている。
【０００９】
好ましい他の実施形態のひとつとして、前記バリアシートと前記防漏カフとは、前記バリアシートの後端縁において互いに接合され、前記第１および第２バリアシート弾性部材の前記後方部は、前記バリアシートの後端縁近傍において接合されるとともに、この接合部位で前記第１バリアシート弾性部材と前記第２バリアシート弾性部材との前記横方向の間隔が最大となる。
【００１０】
好ましい他の実施形態のひとつとして、前記中間部分から前記第１および第２バリアシート弾性部材の前方部の間隔が最大となる点を結ぶ直線までの寸法が、前記中間部分から前記第１および第２バリアシート弾性部材の後方部の間隔が最大となる点を結ぶ直線までの寸法よりも短く設定されている。
【発明の効果】
【００１１】
本発明において、第１および第２バリアシート弾性部材の前方部では、縦方向の寸法を二等分する前方中点よりも中間部分側で、第１バリアシート弾性部材と前記第２バリアシート弾性部材との間隔が最大となるようにしている。したがって、前方部では前方連通部の中間部分側における開口を大きくすることができ、外性器に対する刺激を少なくし肌トラブルを抑制することができる。第１および第２バリアシートの後方部では、縦方向の寸法を二等分する後方中点よりも後端縁側で、第１バリアシート弾性部材と前記第２バリアシート弾性部材との間隔が最大となるようにしている。したがって、後方部では後方連通部の中間部分側における開口が大きくなることがなく、臀に排泄物が付着するのを防止することができる。すなわち、前後方連通部において、第１および第２バリアシート弾性部材の配置を変えることとしたので、前後方連通部の特性を維持しつつ着用者の肌トラブルを抑制することができる。
【００１２】
バリアシートの身体側であって、その両側部分に重なるように防漏カフを含むこととし、バリアシートと防漏カフとを第１および第２バリアシート弾性部材の前方部に重なる前方接合部位で接合することとしたので、防漏カフがシャーシから離間する方向に移動したとき、バリアシートの両側部分を横方向外側に引っ張るように作用する。したがって、前方連通部の開口を広げることができ、着用者の外性器に対する刺激を減少させることができる。
【００１３】
バリアシートと防漏カフと第１および第２バリアシート弾性部材とがバリアシートの後端縁近傍で接合され、この接合位置において第１および第２バリアシート弾性部材の横方向の間隔が最大となるようにしているので、第１および第２バリアシート弾性部材は後端縁近傍では横方向への移動が規制される。したがって、第１および第２バリアシート弾性部材が取り付けられたバリアシートの両側部分の形状が安定し、言い換えれば両側部分によって形成された後方連通部の内側縁の位置が安定する。しかも中間部分近傍では防漏カフの離間による影響をほとんど受けることがないので、第１および第２バリアシート弾性部材の比較的狭い間隔を維持することができる。後方連通部の開口が中間部分近傍で広くなることがないので、便が肌に接触するのを抑制することができる。
【００１４】
中間部分から前方最大点を結ぶ直線との交点までの寸法が、中間部分から後方最大点を結ぶ直線との交点までの寸法よりも短くしている。すなわち、前方連通部と後方連通部とにおける第１および第２バリアシート弾性部材の形状が異なるようにすることができ、前方連通部では、中間部分側において第１および第２バリアシート弾性部材の間隔が最大になるようにして、これら弾性部材が前方連通部に臨ませた外性器に接触しないようにしている。したがって、前方連通部では肌に刺激を与えることがなく、肌トラブルを防止することができる。
【発明を実施するための最良の形態】
【００１５】
吸収性物品として使い捨ておむつを用い、本発明の一例を説明する。
＜第１の実施形態＞
【００１６】
図１はおむつ１の着用状態を示した図である。図示したように、おむつ１は吸液性のシャーシ２とバリアシート３と防漏カフ４とを含む。シャーシ２はパンツ型に形成され、身体側内面５および着衣側外面６と、前ウエスト域７、後ウエスト域８および前記前後ウエスト域７，８間に位置する股下域９を有している。前ウエスト域７から股下域９を通って後ウエスト域８へと向かう方向を縦方向Ｙとし、これに直行する方向を横方向Ｘとしている。シャーシ２は、内側シート１１と外側シート１２と、これら内外側シート１１，１２の間に介在する不透液性の防漏シート１３とによって形成されている。
【００１７】
前後ウエスト域７，８においては、互いのウエスト側縁部１４，１５の対向面が重なり合い、間欠的に並ぶ複数の接合部１６において互いに接合されてシーム部が形成されている。
接合部１６でウエスト側縁部１４，１５が接合されることにより、前後ウエスト域７，８で囲まれた領域にウエスト開口１８が形成されるとともに、接合部１６と股下域９とで囲まれた一対の脚開口１９が形成されている。ウエスト開口１８の周縁部に沿って複数条のウエスト弾性部材２０が延び、脚開口１９の周縁部に沿って複数条の脚弾性部材２１が延びている。それら弾性部材２０，２１は、内側シート１１と外側シート１２との間にあり、これらシート１１，１２の少なくとも一方に接着剤（図示せず）を介して伸長状態で接合されている。
【００１８】
図２は図１のＩＩ−ＩＩ線断面図である。図２に示すように、シャーシ２の身体側内面５に吸液構造体１０が配置され、吸液構造体１０よりもさらに身体側にバリアシート３が配置され、バリアシート３のさらに身体側に防漏カフ４が配置されている。吸液構造体１０は前後ウエスト域７，８の間において縦方向Ｙに延設されているが、これは少なくとも股下域９に位置していればよい。この吸液構造体１０は、内側シート１１の内側に沿って配置された吸液性パネル２３を含む。
【００１９】
吸液性パネル２３は、ティッシュペーパ等の吸液拡散シート２４で包まれる吸液性芯材２５と、吸液拡散シート２４をさらに覆う内面シート２６とで形成されている。吸液性パネル２３の着衣側は外側シート１２の内側に配置された防漏シート１３で被覆され、芯材２５に吸収された体液がおむつ１から漏れるのを防止する。防漏シート１３は、吸液性パネル２３の底面に直接接合されることもある。
【００２０】
バリアシート３の前端縁２７と後端縁２８は、その近傍が接着または溶着により内面シート２６に接合されている。前端縁２７と後端縁２８とは、それぞれ前ウエスト域７および後ウエスト域８に位置している。図示したようなパンツ型の状態においては、股下域９が湾曲するとともに、後に説明するバリアシート弾性部材の収縮によって、バリアシート３は内面シート２６から上方向に離間している。バリアシート３の前後端縁２７，２８は内面シート２６に接合されているので、バリアシート３全体はハンモックを吊り下げたような形状を有する。このような形状により、バリアシート３と吸液性パネル２３との間に空隙２９が形成される。防漏カフ４は後に説明するカフ弾性部材によって起立するようにしてバリアシート３から離間して、前後方向Ｙに延びる壁を形成している。
【００２１】
図３は図１の接合部１６における前後ウエスト域７，８の接合をはずし、おむつ１を縦方向Ｙと横方向Ｘとに展開し、前後ウエスト域７，８と股下域９とが同一平面上に位置するようにしたおむつ１の平面図である。おむつ１は、平面状になるように各弾性部材の伸縮力を作用させない状態を示している。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。
【００２２】
シャーシ２はほぼ砂時計型に形成され、吸液性パネル２３は矩形に形成され、シャーシ２の内側シート１１に積層されている。
バリアシート３は、横方向Ｘに対向する両側部分３０，３１と両側部分３０，３１の間をつなぐ中間部分３２とを有し、中間部分３２は股下域９に位置している。両側部分３０，３１および中間部分３２によって前後方連通部３３，３４を形成している。前方連通部３３は、中間部分３２から前ウエスト域７に向かって延びるほぼＵ字形であり、後方連通部３４は、中間部分３２から後ウエスト域８に向かって延びるほぼＵ字形である。前方連通部３３は、両側部分３０，３１に位置する両内側縁３５と、これら両内側縁３５をつなぐ湾曲した閉鎖縁３６とによって画成される。後方連通部３４は両側部分３０，３１に位置する両内側縁３７と、これら両内側縁３７をつなぐ湾曲した閉鎖縁３８とによって画成される。
【００２３】
防漏カフ４は、縦中心線Ｐ−Ｐに対称に縦方向Ｙに延びる一対のシートから形成され、このシートは不織布やプラスチックフィルム等であり好ましくは不透液性である。各防漏カフ４は、バリアシート３の両側部分３０，３１の身体側に重なるようにして形成されている。防漏カフ４の横方向Ｘの寸法は、バリアシート３の両側部分３０，３１と同程度であるか、あるいはそれよりも大きくなるようにしている。
【００２４】
このおむつ１を着用するときには、前方連通部３３に着用者の外性器が臨み、後方連通部３４に肛門が臨み、中間部３２に外性器と肛門との間の肌が当接するように着用状態を整える。このとき、前方連通部３３の閉鎖縁３６が横中心線Ｑ−Ｑよりも前方に位置し、後方連通部３４の閉鎖縁３８が横中心線Ｑ−Ｑの上、または横中心線Ｑ−Ｑの付近に位置していることが好ましい。このように着用すると、吸液性パネル２３が縦方向Ｙに湾曲するとともに、バリアシート３が第１および第２バリアシート弾性部材３９，４０の収縮により浮き上がって着用者の肌に接触するとともに、バリアシート３と吸液性パネル２３との間に空隙２９を形成する（図２参照）。そして前後方連通部３３，３４を介して排泄物を空隙２９に通過させ、排泄物と着用者の肌とが直接接触しないようにしている。
【００２５】
図４は、バリアシート３、防漏カフ４、吸液性パネル２３の詳細を示した斜視図であり、他の構成要素については省略している。
バリアシート３には、前後方連通部３３,３４に沿って縦方向Ｙに延びる一対の第１および第２バリアシート弾性部材３９,４０を伸長状態で取り付けている。第１および第２バリアシート弾性部材３９,４０は縦中心線Ｐ−Ｐを挟んでほぼ対称に取り付けられ、前方連通部３３に沿う前方部３９ａ，４０ａと、後方連通部３４に沿う後方部３９ｂ，４０ｂと、これら前後方部の間に位置し中間部分３２において縦中心線Ｐ−Ｐに向かう凸状部３９ｃ，４０ｃとを含む。第１および第２バリアシート弾性部材３９，４０は、凸状部３９ｃ，４０ｃにおいてもっともその横方向Ｘの間隔Ｗ１が小さくなり、前後方部３９ａ，３９ｂ，４０ａ，４０ｂは中間部分３２から前後端縁２７，２８に向かってその横方向Ｘの間隔が大きくなるように広がっている。
【００２６】
バリアシート３は、両側部分３０，３１が吸液性パネル２３側に折り返されて二枚重ねになっている。この二枚重ねになった両側部分３０，３１の間に第１および第２バリアシート弾性部材３９，４０を図示しない接着剤によって接合している。
バリアシート３は、少なくとも前後端縁２７，２８においてその両側部分３０，３１で折り返された部分を吸液性パネル２３の内面シート２６に接着剤４５を介して接合している。
【００２７】
バリアシート３の前方連通部３３は、中間部分３２を形成する閉鎖縁３６から前端縁２７までの縦方向Ｙの寸法Ｌ１を二等分する前方中心線ｒ−ｒを含み、後方連通部３４は、中間部分３２を形成する閉鎖縁３８から後端縁２８までの縦方向Ｙの寸法Ｌ２を二等分する後方中心線ｓ−ｓを含む。寸法Ｌ１およびＬ２は、説明のため図４に示した弾性部材が収縮していない状態で説明している。
【００２８】
防漏カフ４はＺ字を画くように３枚重に折り畳まれたシートから形成されている。具体的には、防漏カフ４は吸液性パネル２３とシャーシ２との間に位置し、シャーシ２の内側シート１１に接合される第１面４６と、第１面４６からバリアシート３の着用者側に折り返され両側部分３０または３１に重なる第２面４７と、第２面４７の着用者側に折り重ねられた第３面４８とを有している。すなわち、第１、第２、第３面４６，４７，４８の順に着用者側へと折り重なり、第１面４６と第２面４７とは、吸液性パネル２３を介して重なり、第２面４７と第３面４８とは直接重なっている。第３面４８に位置する側縁４９はカフ弾性部材５０を取り付け可能とするために折り返されている。カフ弾性部材５０は、折り返された側縁４９の間に伸長状態で接合され、縦方向Ｙに亘って取り付けられている。
【００２９】
防漏カフ４は、前後端部分５１，５２において、第１、第２および第３面４６，４７，４８をそれぞれ互いに接合し、これらが一体となって、シャーシ２の内面シート１１に接合されるようにしている。この防漏カフ４にカフ弾性部材５０の収縮力が作用すると、第２面４７および第３面４８を上方に伸展させてバリアシート３から離間して、図２に示すような壁を形成する。第２面４７および第３面４８においてバリアシート３から離間する部分、すなわち接合されていない部分を自由縁部としている。
【００３０】
このようなバリアシート３と防漏カフ４とは、前後方接合部位５３，５４において互いに接合される。前方接合部位５３は、固定縁部と自由縁部との間に位置し、第１および第２バリアシート弾性部材３９，４０の前方部３９ａ，４０ａに重なる位置に形成されている。また前方接合部位５３は、前端縁２７から前方中心線ｒ−ｒよりも中間部分３２側にまで延びている。
後方接合部位５４は、第１および第２バリアシート弾性部材３９，４０の後方部３９ｂ、４０ｂに重なる位置に形成され、後端縁２８から後方中心線ｓ−ｓまでの間において延びている。後方接合部位５４は縦方向Ｙの長さ寸法が、前方接合部位５３よりも短くされている。
【００３１】
図５はバリアシート３、防漏カフ４、吸液性パネル２３の斜視図である。図５においては、第１および第２バリアシート弾性部材３９，４０およびカフ弾性部材５０が収縮し、吸液性パネル２３が湾曲している状態を示している。カフ弾性部材５０の収縮によって、防漏カフ４が吸液性パネル２３から起立するように離間する。防漏カフ４の離間に伴い、前後方接合部位５３，５４を介してバリアシート３が引き上げられるとともに、横方向Ｘの外側に向かって引っ張られる。前後方接合部位５３，５４は第１および第２バリアシート弾性部材３９，４０に重なって形成されているので、前後方接合部位５３，５４においては第１および第２バリアシート弾性部材３９，４０の間隔が広げられることになる。
【００３２】
前方接合部位５３は前端縁２７から前方中心線ｒ−ｒよりも中間部分３２側にまで延びているので、第１および第２バリアシート弾性部材３９，４０もこの範囲において引っ張られる。すなわち、前方部３９ａ，４０ａにおいては前端縁２７から前方中心線ｒ−ｒよりも中間部分３２側において、これらの間隔Ｗ２を最大とする前方最大点４１，４２が形成される。
後方接合部位５４は後端縁２８から後方中心線ｓ−ｓとの間にまで延びているので、後方部３９ｂ，４０ｂにおいてはこの間で第１および第２バリアシート弾性部材３９，４０の間隔Ｗ３を最大とする後方最大点４３，４４が形成される。
【００３３】
図６は図４のＶＩ−ＶＩ線端面図であり、二点鎖線は第２バリアシート弾性部材４０およびカフ弾性部材５０が収縮したときの状態を示している。ここではバリアシート３の側部分３１側について説明しているが、側部分３０においても同様である。図示したように、弾性部材４０，５０の収縮状態、すなわちおむつ１の着用状態においては、防漏カフ４の第２面４７および第３面４８の自由縁部が吸液性パネル２３から離間する方向に伸展する。防漏カフ４の伸展に伴い、第２面４７に位置する前方接合部位５３で接合された側部分３１が吸液性パネル２３から離間する方向でかつ横方向Ｘの外側に引き上げられる。このように側部分３１が引き上げられることで前方連通部３３の開口が広がるように引っ張られる。
【００３４】
本発明では、前方連通部３３の近傍に位置する前方最大点４１，４２が前方中心線ｒ−ｒよりも中間部分３２側に、後方連通部３４の近傍に位置する後方最大点４３，４４が後方中心線ｓ−ｓよりも後端縁２８側に位置するようにしている（図５参照）。すなわち、中間部分３２から前方最大点４１，４２を結ぶ直線との交点までの寸法が、中間部分３２から後方最大点４３，４４を結ぶ直線との交点までの寸法よりも短くしている。したがって、前方連通部３３と後方連通部３４とにおける第１および第２バリアシート弾性部材３９，４０の形状が異なる。前方連通部３３では、中間部分３２側において第１および第２バリアシート弾性部材３９，４０の間隔が最大になるようにして、これら弾性部材３９，４０が前方連通部３３に臨ませた外性器に接触しないようにしている。したがって、前方連通部３３では肌に刺激を与えることがなく、肌トラブルを防止することができる。
【００３５】
後方連通部３４では、後端縁２８側において第１および第２バリアシート弾性部材３９，４０の間隔が最大になるようにしているので、中間部分３２側では、後方連通部３４の開口を小さく保つことができる。したがって、排泄物と臀との接触を防止することができる。また、中間部分３２側において後方部３９ｂ，４０ｂの間隔を小さくすることによって、バリアシート３を確実に着用者の臀に接触させることができる。
【００３６】
後方最大点４３，４４を後端縁２８の近傍に形成することもできる。この場合には、バリアシート３と防漏カフ４と第１および第２バリアシート弾性部材３９，４０とが、後端縁２８の近傍においてそれぞれ互いに接合されることとなる。したがって、後端縁２８近傍においては防漏カフ４が立ち上がるように離間することがなく、防漏カフ４による第１および第２バリアシート弾性部材３９，４０の横方向Ｘへの移動が規制される。第１および第２バリアシート弾性部材３９，４０の移動が規制されるので、これらが取り付けられた両側部分３０，３１の形状が安定する。両側部分３０，３１によって後方連通部３４が形成されているので、結果として後方連通部３４の内側縁３７の位置が安定する。また、後方連通部３４の中間部分３２側の開口をより一層小さく保つこともできる。
【００３７】
前方接合部位５３よりも後方接合部位５４の方が縦方向Ｙの長さ寸法を短くしているので、後方連通部３４側ではバリアシート３と防漏カフ４との接合領域が狭くなり、離間領域が広くなる。バリアシート３と防漏カフ４との間では、尿などを吸収することができ、バリアシート３と防漏カフ４との離間領域が広くなれば、尿などの吸収能力を向上させることができる。したがって、臀や背中からの尿漏れを効果的に防止することができる。
【００３８】
接合部位５３を形成する接着剤としては一般的なゴム系ホットメルト接着剤を使用することができる。また、接合部位５３をソニックシールやヒートシール等の一般的な接合手段を用いて形成するようにしてもよい。
バリアシート３および防漏カフ４は、それぞれ一枚のシートで形成されているが、二枚のシートを張り合わせて形成するようにしてもよい。この場合には、バリアシート弾性部材３９，４０およびカフ弾性部材５０をそれぞれ二枚のシートの間に挟んで取り付けることができる。
【００３９】
本発明において、第１および第２バリアシート弾性部材３９，４０の間隔を最大にするための構造として防漏カフ４を含むこととしているが、例えばバリアシート３の両側部分にタックを形成し、タックの形成部分で横方向Ｘの外側に引っ張られるようにすることによって、第１および第２バリアシート弾性部材３９，４０の間隔を最大にすることができる。また、バリアシート３を防漏カフ４以外の例えば内面シート１１に接合することによって第１および第２バリアシート弾性部材３９，４０の間隔を拡大させることもできる。この場合にはバリアシート３の両側部分３０，３１をその横方向Ｘ外側に位置する内面シート１１に接合することによって、第１および第２バリアシート弾性部材３９，４０の間隔を広げることができる。
【００４０】
バリアシート３および防漏カフ４は液抵抗性かつ通気性の不織布等、内側シート１１および外側シート１２は通気性不織布等、防漏シート１３はプラスチックフィルム等、吸液性パネル２３はフラッフパルプと高吸収性ポリマー粒子との混合物等、それぞれ当技術分野の慣用素材を用いることができる。
＜第２の実施形態＞
【００４１】
図７は本発明の第２の実施形態を示したものである。この実施形態では、防漏カフを備えていないこと、第１および第２バリアシート弾性部材３９，４０の取り付け形状において、第１の実施形態と異なる。他の構成要素は同じであり、同じ構成要素の説明を省略する。
【００４２】
図７はバリアシート３の詳細について説明する図である。このバリアシート３は、第１および第２バリアシート弾性部材３９，４０の収縮力が作用していない状態を示している。図示したように、第１および第２バリアシート弾性部材３９，４０は前後方連通部３３，３４に沿って配設されている。第１および第２バリアシート弾性部材３９，４０は、その配設時において中間部分３２と前方中心線ｒ−ｒとの間で前方部３９ａ，４０ａの間隔が最大となるようにし、後端縁２８と後方中心線ｓ−ｓとの間で後方部３９ｂ，４０ｂの間隔が最大となるようにしている。
【００４３】
上記のようなバリアシート３を有するおむつを着用した場合には、図７の状態から第１および第２バリアシート弾性部材３９，４０が収縮するが、バリアシート３の横方向Ｘの寸法関係はほとんど変化することがない。したがって、中間部分３２と前方中心線ｒ−ｒの間で前方部３９ａ，４０ａの間隔が最大となる前方最大点４１，４２が形成され、後端縁２８と後方中心線ｓ−ｓとの間で後方部３９ｂ，４０ｂの間隔が最大となる後方最大点４３，４４が形成される。
【００４４】
この第２の実施形態によれば、第１および第２バリアシート弾性部材３９，４０の間隔を拡大させるための構造として特別の部材を必要としないので、部品点数を減らしてコスト削減が可能となる。
【図面の簡単な説明】
【００４５】
【図１】第１の実施形態のおむつの斜視図。
【図２】図１のＩＩ−ＩＩ線断面図。
【図３】図１の展開図。
【図４】図３の要部説明図。
【図５】図３の要部説明図。
【図６】図４のＶＩ−ＶＩ線端面図。
【図７】第２の実施形態の要部説明図。
【符号の説明】
【００４６】
１    おむつ
２    シャーシ
３    バリアシート
４    防漏カフ
５    身体側内面
６    着衣側外面
７    前ウエスト域
８    後ウエスト域
９    股下域
１０    吸液構造体
２７    前端縁
２８    後端縁
２９    空隙
３０    側部分
３１    側部分
３２    中間部分
３３    前方連通部
３４    後方連通部
３９    第１バリアシート弾性部材
４０    第２バリアシート弾性部材
４１    前方最大点
４２    前方最大点
４３    後方最大点
４４    後方最大点
５０    カフ弾性部材
５３    前方接合部位
５４    後方接合部位
【図１】
2009165556.tif 000003
【図２】
2009165556.tif 000004
【図３】
2009165556.tif 000005
【図４】
2009165556.tif 000006
【図５】
2009165556.tif 000007
【図６】
2009165556.tif 000008
【図７】
2009165556.tif 000009